(57)【要約】【課題】電気光学パネルと集束性レンズアレイとの距離を、介在させる透光部材の厚みによって調整しているため、使用する部材の光学特性に応じた厚みの透光部材を用意する必要がある。【解決手段】電気光学パネルと集束性レンズとの間に介在する光透過性の透光部材を備えている。集束性レンズと対向する透光部材の第１の対向面は、電気光学パネルと対向する第２の対向面に対して電気光学素子の配列方向と直交する方向に傾斜している。この構成により、第１の対向面となる傾斜面に集束性レンズを配置するときに、傾斜面における配置位置を傾斜方向に変えることによって、電気光学パネルと集束性レンズとの間の距離を変えることができる。【選択図】図２
2008168473.tif 000002
【特許請求の範囲】
【請求項１】
複数の電気光学素子が基板上に配列された電気光学パネルと、
前記電気光学パネルからの出射光を集束させる集束性レンズと、
前記電気光学パネルと前記集束性レンズとの間に介在する光透過性の透光部材とを備え、
前記集束性レンズと対向する前記透光部材の第１の対向面は、前記基板上における前記電気光学素子の配列方向と直交する方向に傾斜していることを特徴とする電気光学装置。
【請求項２】
前記集束性レンズと前記透光部材とは前記第１の対向面において接合され、前記電気光学パネルと前記透光部材とは前記電気光学パネルと対向する前記透光部材の第２の対向面において接合されていることを特徴とする請求項１に記載の電気光学装置。
【請求項３】
前記集束性レンズは、前記第１の対向面において当該第１の対向面の傾斜方向に位置調整されて所定の位置に配置されていることを特徴とする請求項１又は２に記載の電気光学装置。
【請求項４】
複数の電気光学素子が基板上に配列された電気光学パネルと、
前記電気光学パネルからの出射光を集束させる集束性レンズと、
前記電気光学パネルと前記集束性レンズとの間に介在する光透過性の第１の透光部材及び第２の透光部材とを備え、
前記第１の透光部材及び第２の透光部材のそれぞれが互いに対向する各対向面は、前記電気光学素子の配列方向と直交する方向に、それぞれが平行に傾斜していることを特徴とする電気光学装置。
【請求項５】
前記第１の透光部材及び第２の透光部材のそれぞれは前記各対向面において接合され、前記集束性レンズと前記第１の透光部材とは当該第１の透光部材における当該集束性レンズと対向する面において接合され、前記電気光学パネルと前記第２の透光部材とは当該第２の透光部材における当該電気光学パネルと対向する面において接合されていることを特徴とする請求項４に記載の電気光学装置。
【請求項６】
前記第１の透光部材及び第２の透光部材のそれぞれは、前記各対向面が接する位置を当該各対向面の傾斜方向にずらすことによって位置調整されて所定の位置に配置されていることを特徴とする請求項４又は５に記載の電気光学装置。
【請求項７】
前記各対向面の傾斜を示す、前記第１の透光部材及び第２の透光部材のそれぞれの断面形状は、略同一形状であることを特徴とする請求項４から６のいずれか一項に記載の電気光学装置。
【請求項８】
前記各対向面の傾斜を示す、前記第１の透光部材及び第２の透光部材のそれぞれの断面形状は、略くさび型であることを特徴とする請求項４から７のいずれか一項に記載の電気光学装置。
【請求項９】
露光によって潜像が形成される像担持体と、
前記像担持体を露光する請求項１から８のいずれか一項に記載の電気光学装置と、
前記像担持体の潜像に対する現像剤の付着によって顕像を形成する現像器とを備えたことを特徴とする画像形成装置。
【請求項１０】
請求項１に記載の電気光学装置を製造する方法であって、
前記集束性レンズを、前記第１の対向面において当該第１の対向面の傾斜方向に位置調整して所定の位置に配置する工程と、
前記集束性レンズと前記透光部材とを、前記第１の対向面において接合する工程と、
前記電気光学パネルと前記透光部材とを、前記電気光学パネルと対向する前記透光部材の第２の対向面において接合する工程とを有することを特徴とする電気光学装置の製造方法。
【請求項１１】
請求項４に記載の電気光学装置を製造する方法であって、
前記第１の透光部材及び第２の透光部材のそれぞれを、前記各対向面が接する位置を当該各対向面の傾斜方向にずらすことによって位置調整して所定の位置に配置する工程と、
前記第１の透光部材及び第２の透光部材のそれぞれを、前記各対向面において接合する工程と、
前記集束性レンズと前記第１の透光部材とを、当該第１の透光部材における当該集束性レンズと対向する面において接合する工程と、
前記電気光学パネルと前記第２の透光部材とを、当該第２の透光部材における当該電気光学パネルと対向する面において接合する工程とを有することを特徴とする電気光学装置の製造方法。
【発明の詳細な説明】
【技術分野】
【０００１】
本発明は、電気光学素子が配列された電気光学パネルを有する電気光学装置、当該電気光学装置の製造方法、及び当該電気光学装置を用いた画像形成装置に関する。
【背景技術】
【０００２】
従来、電子写真方式の画像印刷装置の像担持体（例えば感光体ドラム）に静電潜像を書き込むために、電気光学素子が配列された電気光学パネルと像担持体との間に、電気光学素子からの出射光を集束させる集束性レンズアレイを配置する構成がある。この構成において、例えば以下の特許文献１では、電気光学パネルと集束性レンズアレイとの間に光透過性の透光部材を介在させることにより、電気光学素子から集束性レンズアレイに進入する光の割合を向上させて光の利用効率を高める技術が開示されている。
【０００３】
【特許文献１】特開２００６−２１８８４８号公報
【発明の開示】
【発明が解決しようとする課題】
【０００４】
しかしながら、上記した特許文献１のような透光部材を介在させる技術においては、電気光学パネルと集束性レンズアレイとの距離を、介在させる透光部材の厚みによって調整している。このとき、製造上のバラツキ等により様々な光学特性の集束性レンズアレイ等の部材を使用することがあり、それぞれの部材の光学特性に応じた厚みの透光部材を用意する必要がある。このため、各種厚みの透光部材を用意する作業、及び適正な厚みの透光部材を選択して設置する作業等に手間が掛かる。また、各種厚みの透光部材を用意することで、透光部材に係るコストも増加してしまう問題がある。
【課題を解決するための手段】
【０００５】
本発明に係る電気光学装置は、複数の電気光学素子が基板上に配列された電気光学パネルと、前記電気光学パネルからの出射光を集束させる集束性レンズと、前記電気光学パネルと前記集束性レンズとの間に介在する光透過性の透光部材とを備え、前記集束性レンズと対向する前記透光部材の第１の対向面は、前記基板上における前記電気光学素子の配列方向と直交する方向に傾斜していることを特徴とする。
【０００６】
本発明に係る電気光学装置によれば、電気光学パネルと集束性レンズとの間に介在する光透過性の透光部材を備えている。そして、集束性レンズと対向する透光部材の第１の対向面は、電気光学素子の配列方向と直交する方向に傾斜している。この構成により、第１の対向面となる傾斜面に集束性レンズを配置するときに、傾斜面における配置位置を傾斜方向に変えることによって、電気光学パネルと集束性レンズとの間の距離を変えることができる。
このため、各種厚みの透光部材を用意しなくても、使用する集束性レンズ等の部材の光学特性に応じて、傾斜面における集束性レンズの配置位置を調整することで、電気光学パネルと集束性レンズとの間の距離を調整することができる。したがって、各種厚みの透光部材を使用しないで電気光学パネルと透光部材と集束性レンズとにおける最適な位置関係を実現することができる。また、各種厚みの透光部材を用意することが不要になることから、透光部材に係るコストを低減することができる。
【０００７】
上記した本発明に係る電気光学装置では、前記集束性レンズと前記透光部材とは前記第１の対向面において接合され、前記電気光学パネルと前記透光部材とは前記電気光学パネルと対向する前記透光部材の第２の対向面において接合されていることを特徴とする。
【０００８】
上記した本発明に係る電気光学装置では、前記集束性レンズは、前記第１の対向面において当該第１の対向面の傾斜方向に位置調整されて所定の位置に配置されていることを特徴とする。
【０００９】
本発明に係る電気光学装置は、複数の電気光学素子が基板上に配列された電気光学パネルと、前記電気光学パネルからの出射光を集束させる集束性レンズと、前記電気光学パネルと前記集束性レンズとの間に介在する光透過性の第１の透光部材及び第２の透光部材とを備え、前記第１の透光部材及び第２の透光部材のそれぞれが互いに対向する各対向面は、前記電気光学素子の配列方向と直交する方向に、それぞれが平行に傾斜していることを特徴とする。
【００１０】
本発明に係る電気光学装置によれば、電気光学パネルと集束性レンズとの間に介在する光透過性の第１の透光部材及び第２の透光部材を備えている。そして、それぞれの透光部材が互いに対向する各対向面は、電気光学素子の配列方向と直交する方向に、それぞれが平行に傾斜している。この構成により、第１の透光部材及び第２の透光部材を重ね合わせたときに、重ね合わせの位置をそれぞれの対向面の傾斜方向にずらすことで、重ね合わせた透光部材全体の厚さを変えることができる。そして、このようにして透光部材全体の厚さを変えることで、電気光学パネルと集束性レンズとの間の距離を変えることができる。
このため、各種厚みの透光部材を用意しなくても、使用する集束性レンズ等の部材の光学特性に応じて、第１の透光部材及び第２の透光部材の互いの重ね合わせの位置をずらして調整することで、電気光学パネルと集束性レンズとの間の距離を調整することができる。したがって、各種厚みの透光部材を使用しないで電気光学パネルと透光部材と集束性レンズとにおける最適な位置関係を実現することができる。また、各種厚みの透光部材を用意することが不要になることから、透光部材に係るコストを低減することができる。
【００１１】
上記した本発明に係る電気光学装置では、前記第１の透光部材及び第２の透光部材のそれぞれは前記各対向面において接合され、前記集束性レンズと前記第１の透光部材とは当該第１の透光部材における当該集束性レンズと対向する面において接合され、前記電気光学パネルと前記第２の透光部材とは当該第２の透光部材における当該電気光学パネルと対向する面において接合されていることを特徴とする。
【００１２】
上記した本発明に係る電気光学装置では、前記第１の透光部材及び第２の透光部材のそれぞれは、前記各対向面が接する位置を当該各対向面の傾斜方向にずらすことによって位置調整されて所定の位置に配置されていることを特徴とする。
【００１３】
上記した本発明に係る電気光学装置では、前記各対向面の傾斜を示す、前記第１の透光部材及び第２の透光部材のそれぞれの断面形状は、略同一形状であることを特徴とする。
【００１４】
上記した本発明に係る電気光学装置では、前記各対向面の傾斜を示す、前記第１の透光部材及び第２の透光部材のそれぞれの断面形状は、略くさび型であることを特徴とする。
【００１５】
本発明に係る画像形成装置は、露光によって潜像が形成される像担持体と、前記像担持体を露光する上記した電気光学装置と、前記像担持体の潜像に対する現像剤の付着によって顕像を形成する現像器とを備えたことを特徴とする。
【００１６】
本発明に係る電気光学装置の製造方法は、上記した電気光学装置を製造する方法であって、前記集束性レンズを、前記第１の対向面において当該第１の対向面の傾斜方向に位置調整して所定の位置に配置する工程と、前記集束性レンズと前記透光部材とを、前記第１の対向面において接合する工程と、前記電気光学パネルと前記透光部材とを、前記電気光学パネルと対向する前記透光部材の第２の対向面において接合する工程とを有することを特徴とする。
【００１７】
本発明に係る電気光学装置の製造方法は、上記した電気光学装置を製造する方法であって、前記第１の透光部材及び第２の透光部材のそれぞれを、前記各対向面が接する位置を当該各対向面の傾斜方向にずらすことによって位置調整して所定の位置に配置する工程と、前記第１の透光部材及び第２の透光部材のそれぞれを、前記各対向面において接合する工程と、前記集束性レンズと前記第１の透光部材とを、当該第１の透光部材における当該集束性レンズと対向する面において接合する工程と、前記電気光学パネルと前記第２の透光部材とを、当該第２の透光部材における当該電気光学パネルと対向する面において接合する工程とを有することを特徴とする。
【発明を実施するための最良の形態】
【００１８】
（第１実施形態）
以下、本発明の第１実施形態に係る電気光学装置について図面を参照して説明する。
【００１９】
図１は、本発明の実施形態に係る画像形成装置の部分的な構成を示す斜視図である。図２は、図１におけるII−II線からみた断面図である。図１及び図２に示すように、画像形成装置は、感光体ドラム７０と電気光学装置Ｄとを備える。感光体ドラム７０は、Ｘ方向に延在する回転軸に支持され、外周面を電気光学装置Ｄと対向させた状態で回転する。電気光学装置Ｄは、図２に示す画像形成装置の筐体Ａに設置される。
【００２０】
図１及び図２に示すように、電気光学装置Ｄは、電気光学パネル１０と集束性レンズアレイ２０と透光部材３０と支持体４０とを備える。透光部材３０は、電気光学パネル１０と集束性レンズアレイ２０との間に配置される。
【００２１】
図２に示すように、電気光学パネル１０は、Ｙ方向を短手、Ｘ方向を長手とする姿勢に配置された長方形状の基板１２を備える。基板１２は、例えばガラスやプラスチックといった材料からなる光透過性の板材である。また、基板１２における一方の面（筐体Ａと対向する面）には、Ｘ方向に沿って多数の電気光学素子Ｅが配列される。各電気光学素子Ｅは、有機ＥＬ（Electro Luminescence）材料からなる発光層を陽極と陰極との間に介在させた有機発光ダイオード素子であり、外部から指示される画像に応じて各々が選択的に発光する。なお、電気光学素子Ｅの配列のパターンは任意である。
【００２２】
基板１２の各電気光学素子Ｅが形成された面には、封止体１５が接合される。封止体１５は、基板１２と協働して各電気光学素子Ｅを封止（外気から遮断）する略長方形の板材である。この封止によって、外気や水分の付着に起因した電気光学素子Ｅの劣化が抑制される。
【００２３】
集束性レンズアレイ２０は、電気光学素子Ｅからの出射光を集束させるための光学素子であり、アレイ状に配列された多数の集束性レンズ（屈折率分布型レンズ）を含む。集束性レンズアレイ２０は、Ｙ方向を短手、Ｘ方向を長手とする姿勢に配置される。集束性レンズアレイ２０としては、例えば日本板硝子株式会社から入手可能なＳＬＡ（登録商標）がある。
【００２４】
透光部材３０は、電気光学素子Ｅからの出射光を透過させる部材であり、例えばガラスやプラスチックといった光透過性の材料によって形成される。透光部材３０は、Ｙ方向を短手、Ｘ方向を長手とする姿勢に配置される。また、図２に示すように、透光部材３０における一方の面（集束性レンズアレイ２０と対向する第１の対向面）となる傾斜面３１は、同図に向かって左側から右側へ、即ち、透光部材３０における他方の面（基板１２と対向する第２の対向面）となる平面３２に対して、電気光学素子Ｅの配列方向と直交する方向（Ｙ方向）に傾斜する。なお、傾斜面３１の傾斜方向は、同図に向かって右側から左側へ傾斜しても良い。また、平面３２は、基板１２における感光体ドラム７０と対向するドラム対向面１２２に平行に対向する。
【００２５】
集束性レンズアレイ２０と透光部材３０とは、集束性レンズアレイ２０における一方の端面（透光部材３０と対向する面）となる入光面２１と、透光部材３０の傾斜面３１とで接合される。これにより、集束性レンズアレイ２０は、傾斜面３１と同じ傾斜角度で傾くことになる。また、電気光学パネル１０と透光部材３０とは、基板１２のドラム対向面１２２と、透光部材３０の平面３２とで接合される。なお、本実施形態における集束性レンズアレイ２０、透光部材３０及び基板１２のそれぞれは、光透過性の接着剤によって接合される。
【００２６】
支持体４０は、電気光学パネル１０の位置及び姿勢を保持するための部材である。図１及び図２に示すように、支持体４０は、透光部材３０の外形に対応した開口部４２１が形成された長方形状の主面部４２と、主面部４２の周縁から筐体Ａ側に突出する枠状の側面部４４とを含む。基板１２のドラム対向面１２２が主面部４２の筐体Ａ側の面に接合されることで、電気光学パネル１０（透光部材３０及ぶ集束性レンズアレイ２０が接合されている）が支持体４０に固定される。さらに、側面部４４の下端面が筐体Ａに接合されることで電気光学パネル１０は筐体Ａに固定される。電気光学パネル１０が支持体４０に固定された状態において、透光部材３０は開口部４２１の内側に入り込む。
【００２７】
以上の構成において、電気光学パネル１０のドラム対向面１２２から集束性レンズアレイ２０の入光面２１までの距離は、透光部材３０の傾斜面３１において、集束性レンズアレイ２０を配置する傾斜方向（Ｙ方向）における配置位置により決定される。即ち、傾斜面３１においての集束性レンズアレイ２０の配置位置に応じて、電気光学パネル１０から集束性レンズアレイ２０までの距離が可変になる。
【００２８】
図３は、集束性レンズアレイ２０の配置位置の例を示す断面図である。同図（ａ）の例の場合、集束性レンズアレイ２０は、透光部材３０の傾斜面３１において同図に向かって左側（傾斜面３１の中央より上方）に位置する。また、集束性レンズアレイ２０の入光面２１が電気光学素子Ｅからの出射光を受光するために、透光部材３０全体は、基板１２のドラム対向面１２２において同図に向かって少し右側に位置する。
同図（ｂ）の例の場合、集束性レンズアレイ２０は、傾斜面３１において同図に向かって右側（傾斜面３１の中央より下方）に位置する。また、入光面２１が電気光学素子Ｅからの出射光を受光するために、透光部材３０全体は、ドラム対向面１２２において同図に向かって少し左側に位置する。ここで、ドラム対向面１２２から入光面２１までの距離を、同図（ａ）に示すｄ１と（ｂ）に示すｄ２とで比較した場合、ｄ１＞ｄ２であることは明らかである。
このように、透光部材３０は、傾斜面３１における集束性レンズアレイ２０の配置位置を傾斜方向に調整することにより、電気光学パネル１０と集束性レンズアレイ２０との距離を可変的に規定するスペーサとして機能する。一般的な構成では、電気光学パネル１０と集束性レンズアレイ２０との距離、及び集束性レンズアレイ２０と感光体ドラム７０との距離は共に１〜数ｍｍ程度であり、透光部材３０では−０．１ｍｍ〜＋０．１ｍｍ程度調整する必要がある。つまり、透光部材３０の傾斜面３１において、０．２ｍｍ程度の範囲で電気光学パネル１０と集束性レンズアレイ２０との距離を調整できれば良い。
【００２９】
図４は、透光部材３０の寸法及び傾斜面３１の傾斜角度の一例を示す図であり、（ａ）は、透光部材３０を上方向（Ｚ方向）から見た平面図であり、（ｂ）は、横方向（Ｘ方向）から見た断面図である。同図に示すように、透光部材３０の長方形状を形成する寸法は、長辺の長さ３００ｍｍ、短辺の長さ５ｍｍであり、傾斜面３１の傾斜角度は平面３２に対して５．７°となっている。ここで、集束性レンズアレイ２０を傾斜面３１に配置した場合、集束性レンズアレイ２０についても、５．７°の傾斜角度で傾くことになり、電気光学素子Ｅから集束性レンズアレイ２０に入射される電気エネルギの低下が懸念される。図５は、集束性レンズアレイ２０の傾斜角度と電気エネルギ比との対応を示すグラフである。同図では、傾斜角度が０°の場合、即ち、集束性レンズアレイ２０の入光面２１が電気光学パネル１０のドラム対向面１２２と平行である場合の電気エネルギ比を１として、各傾斜角度でのエネルギ比の対応を示している。同図に示すように、傾斜角度が大きくなるのにしたがって電気エネルギ比は減少する。しかしながら、図４（ｂ）に示す透光部材３０の例では、傾斜角度は５．７°であり、電気エネルギ比は１から若干減少している程度であることから、実際に感光体ドラム７０に光を照射して潜像を形成する際に問題は生じない。
【００３０】
次に、上述した本発明の実施形態に係る電気光学装置の製造方法について説明する。
まず、集束性レンズアレイ２０を構成する各集束性レンズの屈折率分布特性と、透光部材３０の屈折率等とに基づいて、電気光学パネル１０のドラム対向面１２２から集束性レンズアレイ２０の入光面２１までの距離ｄを決定する。
【００３１】
次に、透光部材３０の傾斜面３１において、集束性レンズアレイ２０の入光面２１の配置位置を傾斜方向に位置調整し、透光部材３０の平面３２から入光面２１の中心までの距離が上記の距離ｄと等しくなるように集束性レンズアレイ２０を配置する。
【００３２】
次に、入光面２１と傾斜面３１とを接合することで、集束性レンズアレイ２０と透光部材３０とを接合する。
【００３３】
次に、電気光学素子Ｅからの出射光を入光面２１が受光できるように、ドラム対向面１２２における平面３２の配置位置を決定し、その配置位置においてドラム対向面１２２と平面３２とを接合することで、電気光学パネル１０と透光部材３０とを接合する。このようにして電気光学装置Ｄが製造される。なお、上記した製造方法の順番は、これに限られず、例えば、集束性レンズアレイ２０の入光面２１の配置位置及びドラム対向面１２２における平面３２の配置位置を決定してから、電気光学パネル１０と透光部材３０とを接合して、次に集束性レンズアレイ２０と透光部材３０とを接合しても良い。
【００３４】
完成した電気光学装置Ｄは、画像形成装置の筐体Ａに固定され、このとき、電気光学装置Ｄは、電気光学素子Ｅの配列方向と、感光体ドラム７０の回転軸とが平行となるように設置される。
【００３５】
上述したように、本実施形態に係る電気光学装置Ｄでは、電気光学パネル１０と集束性レンズアレイ２０と透光部材３０と支持体４０とを備え、透光部材３０は、電気光学パネル１０と集束性レンズアレイ２０との間に配置される。集束性レンズアレイ２０の入光面２１と対向する透光部材３０の傾斜面３１は、図２に示す例では、同図に向かって左側から右側へ傾斜している。この構成により、集束性レンズアレイ２０を透光部材３０に接合するときに、傾斜面３１に配置する入光面２１の配置位置を傾斜方向に調整することで、電気光学パネル１０のドラム対向面１２２から入光面２１までの距離を調整することができる。例えば、図３（ａ）に示す、傾斜面３１の上方に集束性レンズアレイ２０を配置している例では、（ｂ）に示す、傾斜面３１上の下方に集束性レンズアレイ２０を配置している例よりも、ドラム対向面１２２から入光面２１までの距離を長くすることができる。
これにより、ドラム対向面１２２から入光面２１までの距離を、使用する集束性レンズアレイ２０等の部材の光学特性に基づいて決定し、その距離に対応する位置に、電気光学パネル１０、透光部材３０及び集束性レンズアレイ２０を配置して接合することができる。そして、電気光学パネル１０と集束性レンズアレイ２０との間に透光部材３０を介在した最適な位置関係の電気光学装置を実現することができる。
【００３６】
（第２実施形態）
次に、本発明の第２実施形態に係る電気光学装置について図面を参照して説明する。なお、本実施形態のうち第１実施形態と同様の要素については、第１実施形態と同じ符号を付してその詳細な説明を適宜に省略する。
【００３７】
図６は、本発明の実施形態に係る画像形成装置の部分的な構成を示す斜視図である。図７は、図６におけるII−II線からみた断面図である。図６及び図７に示すように、第１実施形態の場合と異なり、透光部材３０は、感光体ドラム７０側に位置する透光部材３０Ａ（第１の透光部材）と、他方に位置する透光部材３０Ｂ（第２の透光部材）との２つの略くさび型の部材が重ね合わされて構成されている。図７に示すように、透光部材３０Ａと透光部材３０Ｂとは、それぞれの傾斜面３６Ａと傾斜面３６Ｂとで対向して接触した状態にある。傾斜面３６Ａ，３６Ｂは、それぞれが平行に、同図に向かって左側から右側へ、即ち、電気光学素子の配列方向と直交する方向（Ｙ方向）に傾斜している。なお、傾斜面３６Ａ，３６Ｂの傾斜方向は、同図に向かって右側から左側へ傾斜しても良い。
【００３８】
透光部材３０Ａ，３０Ｂのそれぞれは、傾斜面３６Ａ，３６Ｂにおいて相互が接合されて透光部材３０となる。集束性レンズアレイ２０と透光部材３０とは、集束性レンズアレイ２０の入光面２１と、透光部材３０Ａの平面３５Ａ（集束性レンズアレイ２０と対向する面）とで接合される。これにより、集束性レンズアレイ２０は、第１実施形態の場合と異なり、電気光学パネル１０の基板１２と平行に位置することになる。また、電気光学パネル１０と透光部材３０とは、基板１２のドラム対向面１２２と、透光部材３０Ｂの平面３５Ｂ（基板１２と対向する面）とで接合される。
【００３９】
以上の構成において、電気光学パネル１０のドラム対向面１２２から集束性レンズアレイ２０の入光面２１までの距離は、互いに対向する、透光部材３０Ａの傾斜面３６Ａと、透光部材３０Ｂの傾斜面３６Ｂとの重ね合わせ位置により決定される。即ち、傾斜面３６Ａと傾斜面３６Ｂとの重ね合わせ位置に応じて、電気光学パネル１０から集束性レンズアレイ２０までの距離が可変になる。
【００４０】
図８は、集束性レンズアレイ２０の配置位置の例を示す断面図である。同図（ａ）の例の場合、透光部材３０Ａは、透光部材３０Ｂよりも同図に向かって右側にずらして配置されている。また、同図（ｂ）の例の場合、透光部材３０Ａは、透光部材３０Ｂよりも同図に向かって左側にずらして配置されている。ここで、ドラム対向面１２２から入光面２１までの距離を、同図（ａ）に示すｄ１と（ｂ）に示すｄ２とで比較すると、ｄ１＜ｄ２となる。
このように、透光部材３０は、透光部材３０Ａと透光部材３０Ｂとの重ね合わせ位置を傾斜方向（Ｙ方向）にずらすことで、透光部材３０Ａの平面３５Ａ（集束性レンズアレイ２０と対向する面）は上下方向（Ｚ方向）に昇降する。これにより、透光部材３０は、電気光学パネル１０と集束性レンズアレイ２０との距離を可変的に規定するスペーサとして機能する。
【００４１】
本実施形態では、透光部材３０Ａ，３０Ｂの２つの部材は略同一形状となっており、これにより透光部材３０Ａ，３０Ｂをずらして重ね合わせたときに、２つの部材が略同一形状でない場合に比して透光部材３０全体の強度が低下するのを抑えることができる。また、透光部材３０Ａの平面３５Ａは、電気光学パネル１０と平行に位置することから、平面３５Ａに接合された集束性レンズアレイ２０も同様に電気光学パネル１０と平行に位置することになり、電気光学装置Ｄと感光体ドラム７０との位置調整を容易に行うことができる。
【００４２】
次に、上述した本発明の実施形態に係る電気光学装置の製造方法について説明する。
まず、集束性レンズアレイ２０を構成する各集束性レンズの屈折率分布特性と、透光部材３０の屈折率等とに基づいて、電気光学パネル１０のドラム対向面１２２から集束性レンズアレイ２０の入光面２１までの距離ｄを決定する。
【００４３】
次に、透光部材３０Ａと透光部材３０Ｂとの重ね合わせ位置をずらして調整し、透光部材３０Ｂの平面３５Ｂ（電気光学パネル１０と対向する面）から透光部材３０Ａの平面３５Ａまでの距離が上記の距離ｄと等しくなるように両部材を配置して接合する。接合した両部材は透光部材３０となる。
【００４４】
次に、入光面２１と平面３５Ａとを接合することで、集束性レンズアレイ２０と透光部材３０とを接合する。このとき、平面３５Ａの中央部分に入光面２１を接合する。
【００４５】
次に、電気光学素子Ｅからの出射光を入光面２１が受光できるように、ドラム対向面１２２における平面３５Ｂの配置位置を決定し、その配置位置においてドラム対向面１２２と平面３５Ｂとを接合することで、電気光学パネル１０と透光部材３０とを接合する。このようにして電気光学装置Ｄが製造される。なお、上記した製造方法の順番は、これに限られず、例えば、透光部材３０Ａ，３０Ｂの両部材を接合してから、電気光学パネル１０と透光部材３０とを接合して、次に集束性レンズアレイ２０と透光部材３０とを接合しても良い。
【００４６】
上述したように、本実施形態に係る電気光学装置Ｄでは、電気光学パネル１０と集束性レンズアレイ２０と透光部材３０と支持体４０とを備えている。透光部材３０は、透光部材３０Ａと透光部材３０Ｂとが重ね合わされて構成され、電気光学パネル１０と集束性レンズアレイ２０との間に配置される。透光部材３０Ａ及び透光部材３０Ｂのそれぞれの傾斜面３６Ａ，３６Ｂは、図７に示す例では、同図に向かって左側から右側へ傾斜し、それぞれが対向して接触した状態にある。この構成により、傾斜面３６Ａと傾斜面３６Ｂとの重ね合わせ位置をずらすことで、重ね合わせた透光部材３０の厚さを調整することができる。例えば、図８（ａ）に示す、透光部材３０の厚さが薄くなるように傾斜面３６Ａ，３６Ｂをずらしている例では、（ｂ）に示す、透光部材３０の厚さが厚くなるように傾斜面３６Ａ，３６Ｂをずらしている例よりも、透光部材３０の厚さを薄くすることができる。
これにより、ドラム対向面１２２から入光面２１までの距離を、使用する集束性レンズアレイ２０等の部材の光学特性に基づいて決定し、透光部材３０Ａ，３０Ｂの重ね合わせ位置をずらして調整することにより、透光部材３０の厚さが決定した距離と等しくなるように配置して両部材を接合することができる。そして、電気光学パネル１０と集束性レンズアレイ２０との間に透光部材３０を介在した最適な位置関係の電気光学装置を実現することができる。
【００４７】
（第３実施形態）
次に、本発明の第３実施形態に係る画像形成装置について図面を参照して説明する。
上述した実施形態の電気光学装置Ｄは、電子写真方式を利用した画像形成装置における像担持体に潜像を書き込むためのライン型の光ヘッドとして用いることが可能である。画像形成装置の例としては、プリンタ、複写機の印刷部分及びファクシミリの印刷部分がある。
【００４８】
図９は、電気光学装置Ｄをライン型の光ヘッドとして用いた画像形成装置の一例を示す縦断面図である。この画像形成装置は、ベルト中間転写体方式を利用したタンデム型のフルカラー画像形成装置である。
【００４９】
この画像形成装置では、同様な構成の４個の有機ＥＬアレイ露光ヘッド１００Ｋ，１００Ｃ，１００Ｍ，１００Ｙが、同様な構成である４個の感光体ドラム（像担持体）１１０Ｋ，１１０Ｃ，１１０Ｍ，１１０Ｙの露光位置にそれぞれ配置されている。有機ＥＬアレイ露光ヘッド１００Ｋ，１００Ｃ，１００Ｍ，１００Ｙは上述した実施形態の電気光学装置Ｄである。
【００５０】
図９に示すように、この画像形成装置には、駆動ローラ１２１と従動ローラ１２２が設けられており、これらの駆動ローラ１２１及び従動ローラ１２２には無端の中間転写ベルト１２０が巻回されて、矢印に示すように駆動ローラ１２１及び従動ローラ１２２の周囲を回転させられる。図示しないが、中間転写ベルト１２０に張力を与えるテンションローラなどの張力付与手段を設けても良い。
【００５１】
この中間転写ベルト１２０の周囲には、互いに所定間隔をおいて４個の外周面に感光層を有する感光体ドラム１１０Ｋ，１１０Ｃ，１１０Ｍ，１１０Ｙが配置される。添え字Ｋ，Ｃ，Ｍ，Ｙはそれぞれ黒、シアン、マゼンタ、イエローの顕像を形成するために使用されることを意味している。他の部材についても同様である。感光体ドラム１１０Ｋ，１１０Ｃ，１１０Ｍ，１１０Ｙは、中間転写ベルト１２０の駆動と同期して回転駆動される。
【００５２】
各感光体ドラム１１０（Ｋ，Ｃ，Ｍ，Ｙ）の周囲には、コロナ帯電器１１１（Ｋ，Ｃ，Ｍ，Ｙ）と、有機ＥＬアレイ露光ヘッド１００（Ｋ，Ｃ，Ｍ，Ｙ）と、現像器１１４（Ｋ，Ｃ，Ｍ，Ｙ）が配置されている。コロナ帯電器１１１（Ｋ，Ｃ，Ｍ，Ｙ）は、対応する感光体ドラム１１０（Ｋ，Ｃ，Ｍ，Ｙ）の外周面を一様に帯電させる。有機ＥＬアレイ露光ヘッド１００（Ｋ，Ｃ，Ｍ，Ｙ）は、感光体ドラムの帯電させられた外周面に静電潜像を書き込む。各有機ＥＬアレイ露光ヘッド１００（Ｋ，Ｃ，Ｍ，Ｙ）は、複数の電気光学素子Ｅの配列方向が感光体ドラム１１０（Ｋ，Ｃ，Ｍ，Ｙ）の母線（主走査方向）に沿うように設置される。静電潜像の書き込みは、上記の複数の電気光学素子Ｅにより光を感光体ドラムに照射することにより行う。現像器１１４（Ｋ，Ｃ，Ｍ，Ｙ）は、静電潜像に現像剤としてのトナーを付着させることにより感光体ドラムに顕像すなわち可視像を形成する。
【００５３】
このような４色の単色顕像形成ステーションにより形成された黒、シアン、マゼンタ、イエローの各顕像は、中間転写ベルト１２０上に順次一次転写されることにより、中間転写ベルト１２０上で重ね合わされて、この結果フルカラーの顕像が得られる。中間転写ベルト１２０の内側には、４つの一次転写コロトロン（転写器）１１２（Ｋ，Ｃ，Ｍ，Ｙ）が配置されている。一次転写コロトロン１１２（Ｋ，Ｃ，Ｍ，Ｙ）は、感光体ドラム１１０（Ｋ，Ｃ，Ｍ，Ｙ）の近傍にそれぞれ配置されており、感光体ドラム１１０（Ｋ，Ｃ，Ｍ，Ｙ）から顕像を静電的に吸引することにより、感光体ドラムと一次転写コロトロンの間を通過する中間転写ベルト１２０に顕像を転写する。
【００５４】
最終的に画像を形成する対象としてのシート１０２は、ピックアップローラ１０３によって、給紙カセット１０１から１枚ずつ給送されて、駆動ローラ１２１に接した中間転写ベルト１２０と二次転写ローラ１２６の間のニップに送られる。中間転写ベルト１２０上のフルカラーの顕像は、二次転写ローラ１２６によってシート１０２の片面に一括して二次転写され、定着部である定着ローラ対１２７を通ることでシート１０２上に定着される。この後、シート１０２は、排紙ローラ対１２８によって、装置上部に形成された排紙カセット上へ排出される。
【００５５】
図９の画像形成装置は、書き込み手段として有機ＥＬアレイを有する電気光学装置Ｄを用いており、この電気光学装置Ｄは、上述した通り、電気光学パネル１０と集束性レンズアレイ２０との間に透光部材３０を介在した最適な位置関係の電気光学装置を実現している。
【００５６】
（第４実施形態）
次に、本発明の第４実施形態に係る画像形成装置について図面を参照して説明する。
図１０は、上述した実施形態の電気光学装置Ｄをライン型の光ヘッドとして用いた他の画像形成装置の縦断面図である。この画像形成装置は、ベルト中間転写体方式を利用したロータリ現像式のフルカラー画像形成装置である。図１０に示す画像形成装置において、感光体ドラム（像担持体）１６５の周囲には、コロナ帯電器１６８、ロータリ式の現像ユニット１６１、有機ＥＬアレイ露光ヘッド１６７、中間転写ベルト１６９が設けられている。
【００５７】
コロナ帯電器１６８は、感光体ドラム１６５の外周面を一様に帯電させる。有機ＥＬアレイ露光ヘッド１６７は、感光体ドラム１６５の帯電させられた外周面に静電潜像を書き込む。有機ＥＬアレイ露光ヘッド１６７は、上述した実施形態の電気光学装置Ｄであり、複数の電気光学素子Ｅの配列方向が感光体ドラム１６５の母線（主走査方向）に沿うように設置される。静電潜像の書き込みは、上記の複数の電気光学素子Ｅによる光を感光体ドラムに照射することにより行う。
【００５８】
現像ユニット１６１は、４つの現像器１６３Ｙ，１６３Ｃ，１６３Ｍ，１６３Ｋが９０°の角間隔をおいて配置されたドラムであり、軸１６１ａを中心にして反時計回りに回転可能である。現像器１６３Ｙ，１６３Ｃ，１６３Ｍ，１６３Ｋは、それぞれイエロー、シアン、マゼンタ、黒のトナーを感光体ドラム１６５に供給して、静電潜像に現像剤としてのトナーを付着させることにより感光体ドラム１６５に顕像すなわち可視像を形成する。
【００５９】
無端の中間転写ベルト１６９は、駆動ローラ１７０ａ、従動ローラ１７０ｂ、一次転写ローラ１６６及びテンションローラに巻回されて、これらのローラの周囲を矢印に示す向きに回転させられる。一次転写ローラ１６６は、感光体ドラム１６５から顕像を静電的に吸引することにより、感光体ドラム１６５と一次転写ローラ１６６の間を通過する中間転写ベルト１６９に顕像を転写する。
【００６０】
具体的には、感光体ドラム１６５の最初の１回転で、露光ヘッド１６７によりイエロー（Ｙ）像のための静電潜像が書き込まれて現像器１６３Ｙにより同色の顕像が形成され、さらに中間転写ベルト１６９に転写される。また、次の１回転で、露光ヘッド１６７によりシアン（Ｃ）像のための静電潜像が書き込まれて現像器１６３Ｃにより同色の顕像が形成され、イエローの顕像に重なり合うように中間転写ベルト１６９に転写される。そして、このようにして感光体ドラム１６５が４回転する間に、イエロー、シアン、マゼンタ、黒の顕像が中間転写ベルト１６９に順次重ね合わせられ、この結果フルカラーの顕像が転写ベルト１６９上に形成される。最終的に画像を形成する対象としてのシートの両面に画像を形成する場合には、中間転写ベルト１６９に表面と裏面の同色の顕像を転写し、次に中間転写ベルト１６９に表面と裏面の次の色の顕像を転写する形式で、フルカラーの顕像を中間転写ベルト１６９上で得る。
【００６１】
画像形成装置には、シートが通過させられるシート搬送路１７４が設けられている。シートは、給紙カセット１７８から、ピックアップローラ１７９によって１枚ずつ取り出され、搬送ローラによってシート搬送路１７４を進行させられ、駆動ローラ１７０ａに接した中間転写ベルト１６９と二次転写ローラ１７１の間のニップを通過する。二次転写ローラ１７１は、中間転写ベルト１６９からフルカラーの顕像を一括して静電的に吸引することにより、シートの片面に顕像を転写する。二次転写ローラ１７１は、図示しないクラッチにより中間転写ベルト１６９に接近及び離間させられるようになっている。そして、シートにフルカラーの顕像を転写する時に二次転写ローラ１７１は中間転写ベルト１６９に当接させられ、中間転写ベルト１６９に顕像を重ねている間は二次転写ローラ１７１から離される。
【００６２】
上記のようにして画像が転写されたシートは定着器１７２に搬送され、定着器１７２の加熱ローラ１７２ａと加圧ローラ１７２ｂの間を通過させられることにより、シート上の顕像が定着する。定着処理後のシートは、排紙ローラ対１７６に引き込まれて矢印Ｆの向きに進行する。両面印刷の場合には、シートの大部分が排紙ローラ対１７６を通過した後、排紙ローラ対１７６が逆方向に回転させられ、矢印Ｇで示すように両面印刷用搬送路１７５に導入される。そして、二次転写ローラ１７１により顕像がシートの他面に転写され、再度定着器１７２で定着処理が行われた後、排紙ローラ対１７６でシートが排出される。
【００６３】
図１０の画像形成装置は、書き込み手段として有機ＥＬアレイを有する露光ヘッド１６７（電気光学装置Ｄ）を用いており、この電気光学装置Ｄは、上述した通り、電気光学パネル１０と集束性レンズアレイ２０との間に透光部材３０を介在した最適な位置関係の電気光学装置を実現している。
【００６４】
以上、上述した実施形態の電気光学装置Ｄを応用可能な画像形成装置を例示したが、他の電子写真方式の画像形成装置にも実施の形態の電気光学装置を応用することが可能であり、そのような画像形成装置は本発明の範囲内にある。例えば、中間転写ベルトを使用せずに感光体ドラムから直接シートに顕像を転写するタイプの画像形成装置や、モノクロの画像を形成する画像形成装置にも電気光学装置を応用することが可能である。
【００６５】
（変形例１）
上記した実施形態では、集束性レンズアレイ２０、透光部材３０（第２実施形態の場合、透光部材３０Ａ，３０Ｂの両部材を含む）及び電気光学パネル１０のそれぞれの部材が接着剤によって接合されて支持されているが、これに限られず、例えば、これらの部材のすべて又は一部が支持体４０や他の部材によって独立に支持されても良い。
【００６６】
（変形例２）
上記した実施形態では、電気光学パネル１０として、与えられる電気的なエネルギを光学的エネルギに変換する発光素子である有機発光ダイオード素子が適用されている。しかし、これに限られず、電気光学素子素子として、例えば、無機ＥＬ素子やフィールド・エミッション（ＦＥ）素子、表面導電型エミッション（ＳＥ：Surface-conduction Electron-emitter）素子、弾道電子放出（ＢＳ：Ballistic electron Surface emitting）素子、ＬＥＤ（Light Emitting Diode）素子、液晶素子、電気泳動素子、エレクトロクロミック素子等を適用しても良い。また、電気光学パネル１０は、トップエミッションでもボトムエミッションタイプでも良い。
【００６７】
（変形例３）
上記した実施形態における画像形成装置では、電気光学装置Ｄを像担持体の露光の用途に適用した。しかし、これに限られず、例えば、電気光学装置Ｄを、原稿などの読取対象に光を照射するライン型の光ヘッド（照明装置）として画像読取装置に適用しても良い。この種の画像読取装置としては、スキャナ、複写機やファクシミリの読取部分、バーコードリーダ、又はＱＲコード（登録商標）のような二次元画像コードを読む二次元画像コードリーダがある。
【図面の簡単な説明】
【００６８】
【図１】第１実施形態に係る画像形成装置の部分的な構成を示す斜視図。
【図２】図１におけるII−II線からみた断面図。
【図３】（ａ），（ｂ）は、集束性レンズアレイの配置位置の例を示す断面図。
【図４】透光部材の寸法及び傾斜面の傾斜角度の一例を示す図、（ａ）は透光部材を上方向から見た平面図、（ｂ）は横方向から見た断面図。
【図５】集束性レンズアレイの傾斜角度と電気エネルギ比との対応を示すグラフ。
【図６】第２実施形態に係る画像形成装置の部分的な構成を示す斜視図。
【図７】図６におけるII−II線からみた断面図。
【図８】（ａ），（ｂ）は、集束性レンズアレイの配置位置の例を示す断面図。
【図９】電気光学装置をライン型の光ヘッドとして用いた画像形成装置の一例を示す縦断面図。
【図１０】電気光学装置をライン型の光ヘッドとして用いた他の画像形成装置の縦断面図。
【符号の説明】
【００６９】
１０…電気光学パネル、１２…基板、１５…封止体、２０…集束性レンズアレイ、２１…入光面、３０，３０Ａ，３０Ｂ…透光部材、３１，３６Ａ，３６Ｂ…傾斜面、３２，３５Ａ，３５Ｂ…平面、４０…支持体、４２…主面部、４４…側面部、７０…感光体ドラム、Ｄ…電気光学装置、Ｅ…電気光学素子。
【図１】
2008168473.tif 000003
【図２】
2008168473.tif 000004
【図３】
2008168473.tif 000005
【図４】
2008168473.tif 000006
【図５】
2008168473.tif 000007
【図６】
2008168473.tif 000008
【図７】
2008168473.tif 000009
【図８】
2008168473.tif 000010
【図９】
2008168473.tif 000011
【図１０】
2008168473.tif 000012